(57)【要約】  本発明は、アンテナ（１１８）を備えたモバイル装置（１０１，１１７）に取り外し可能に取り付けられるカバー（２０１，２２０，２３０）を提供する。このカバーは、供給電力を提供するように構成されたバッテリ（２０４）と、該バッテリ（２０４）をモバイル装置（１０１，１１７）のアンテナ（１１８）に電気的に結合するように構成された電気接点要素（２０５，２０６，２１１）と、該電気接点要素（２０５，２０６，２１１）とバッテリ（２０４）との間に結合され、該電気接点要素（２０５，２０６，２１１）からバッテリ（２０４）へのＲＦ信号を阻止し、該バッテリ（２０４）と電気接点要素（２０５，２０６，２１１）との間の供給電力の伝送を可能にするように構成されたブロッキングフィルタ（２０７）とを備える。さらに、本発明は、対応するモバイル装置（１０１，１１７）及び対応する方法を提供する。【選択図】  図１
2019516335.tif 000002
【特許請求の範囲】
【請求項１】
アンテナ（１１８）を備えたモバイル装置（１０１，１１７）に取り外し可能に取り付けられるカバー（２０１，２２０，２３０）であって、
供給電力を提供するように構成されたバッテリ（２０４）と、
前記バッテリ（２０４）を前記モバイル装置（１０１，１１７）の前記アンテナ（１１８）に電気的に結合するように構成された電気接点要素（２０５，２０６，２１１）と、
前記電気接点要素（２０５，２０６，２１１）と前記バッテリ（２０４）との間に結合され、前記電気接点要素（２０５，２０６，２１１）から前記バッテリ（２０４）へのＲＦ信号を阻止し、前記バッテリ（２０４）と前記電気接点要素（２０５，２０６，２１１）との間の供給電力の伝送を可能にするように構成されたブロッキングフィルタ（２０７）と
を備えるカバー（２０１，２２０，２３０）。
【請求項２】
該カバー（２０１，２２０，２３０）をモバイル装置（１０１，１１７）を固定するように構成された固定装置を備え、該固定装置は、前記モバイル装置（１０１，１１７）の第１側面を介して前記カバー（２０１，２２０，２３０）をモバイル装置（１０１，１１７）を固定するように構成された第１固定要素（２０２，２０３）と、前記モバイル装置（１０１，１１７）の第２側面を介して前記カバー（２０１，２２０，２３０）をモバイル装置（１０１，１１７）を固定するように構成された第２固定要素（２０２，２０３）とを備え、特に、前記第２側面は前記第１側面に対向する面である、請求項１のカバー（２０１，２２０，２３０）。
【請求項３】
前記電気接点要素（２０５，２０６，２１１）は、前記バッテリ（２０４）の正極出力に結合され、前記アンテナ（１１８）の第１アンテナ要素（１０５，１０６）に該バッテリ（２０４）を電気的に結合するように構成された第１電気接点（２０５，２０６）と、前記バッテリ（２０４）の負極出力に結合され、前記アンテナ（１１８）の第２アンテナ要素（１０５，１０６）に該バッテリ（２０４）を電気的に結合するように構成された第２電気接点（２０５，２０６）とを備える、請求項１又は２のカバー（２０１，２２０，２３０）。
【請求項４】
前記第１固定要素（２０２，２０３）は前記第１電気接点（２０５，２０６）を含み、前記第２固定要素（２０２，２０３）は前記第２電気接点（２０５，２０６）を含む、請求項２及び３のいずれかのカバー（２０１，２２０，２３０）。
【請求項５】
前記ブロッキングフィルタ（２０７）は、ＲＦ信号を阻止し、前記バッテリ（２０４）から前記アンテナ（１１８）に又はその逆に直流電力を通過するように構成されたローパスフィルタ（２０８）を含む、請求項１乃至４のいずれかのカバー（２０１，２２０，２３０）。
【請求項６】
前記バッテリ（２０４）と前記ブロッキングフィルタ（２０７）との間に電気的に配置されたバッテリ管理ユニット（２１０）を備え、前記ブロッキングフィルタ（２０７）は、ＲＦ信号及び直流電力を阻止し、前記バッテリ管理ユニット（２１０）への又は該バッテリ管理ユニットからの低周波信号を通過するように構成された低周波バンドパスフィルタ（２０９）を含む、請求項１乃至５のいずれかのカバー（２０１，２２０，２３０）。
【請求項７】
ハウジングと、
該ハウジング上に設けられたアンテナ（１１８）と、
前記アンテナ（１１８）を介してＲＦ信号を送受するように構成された無線周波数回路（１０７）と、
前記アンテナ（１１８）を介して受信した直流電力が前記無線周波数回路に入力されることを阻止し、該アンテナ（１１８）と当該モバイル装置（１０１，１１７）のエネルギー消費要素との間での前記直流電力の伝送を可能にするように構成されたフィルタ（１０８）と
を備えるモバイル装置（１０１，１１７）。
【請求項８】
前記ハウジングは、少なくとも２つのアンテナ要素（１０５，１０６）を含む、請求項７のモバイル装置（１０１，１１７）。
【請求項９】
前記フィルタ（１０８）は、ＲＦ信号を阻止し、当該モバイル装置（１０１，１１７）の前記エネルギー消費要素に又はその逆に直流電力を通過するように構成されたローパスフィルタ（１１０）を含む、請求項７又は８のモバイル装置（１０１，１１７）。
【請求項１０】
前記ブロッキングフィルタ（２０７）と当該モバイル装置（１０１，１１７）の前記エネルギー消費要素及びエネルギー源との間に電気的に配置されたデバイスバッテリ管理ユニット（１１２）を備え、前記フィルタは、ＲＦ信号及び直流電力を阻止し、前記デバイスバッテリ管理ユニット（１１２）への又は該デバイスバッテリ管理ユニットからの低周波信号を通過するように構成された低周波バンドパスフィルタ（１１１）を含む、請求項７乃至９のいずれかのモバイル装置（１０１，１１７）。
【請求項１１】
前記デバイスバッテリ管理ユニット（１１２）は、当該モバイル装置（１０１，１１７）のバッテリ（１１５）及び前記請求項１乃至６のいずれかに記載されたカバー（２０１，２２０，２３０）の前記バッテリ（２０４）を管理するように構成されている、請求項７乃至１１のいずれかのモバイル装置（１０１，１１７）。
【請求項１２】
前記フィルタ（１０８）は、所定周波数より低いすべての信号を阻止し、前記アンテナ（１１８）から当該モバイル装置（１０１，１１７）の前記無線周波数回路（１０７）に又はその逆にＲＦ信号を通過するように構成された高周波バンドパスフィルタ（１０９）を含む、請求項７乃至１１のいずれかのモバイル装置（１０１，１１７）。
【請求項１３】
モバイル装置（１０１，１１７）のためのエネルギー管理方法であって、
前記モバイル装置（１０１，１１７）のアンテナ（１１８）を介して、取り外し可能なカバー（２０１，２２０，２３０）のバッテリ（２０４）から該モバイル装置（１０１，１１７）に供給電力を提供するステップ（Ｓ１）と、
前記モバイル装置（１０１，１１７）の前記アンテナ（１１８）にてローパスフィルタ（１１０，２０８）により信号をフィルタするステップ（Ｓ２）であって、前記アンテナ（１１８）を介して受信した直流電力が無線周波数回路（１０７）に入力されることを阻止し、かつ、前記アンテナ（１１８）と前記モバイル装置（１０１，１１７）のエネルギー消費要素との間の直流電力の伝送を可能にするようにフィルタする、及び／又は、前記カバー（２０１，２２０，２３０）において、前記バッテリ（２０４）へのＲＦ信号を阻止し、前記バッテリ（２０４）と前記アンテナ（１１８）との間の供給電力の伝送を可能にするようにフィルタする前記ステップ（Ｓ２）と
を備えるエネルギー管理方法。
【請求項１４】
前記モバイル装置（１０１，１１７）及び／又は前記カバー（２０１，２２０，２３０）における低周波バンドパスフィルタ１１１，２０９により、ＲＦ信号及び直流電力を阻止することと、前記モバイル装置（１０１，１１７）と前記カバー（２０１，２２０，２３０）との間で低周波信号を通すこと、をさらに備える請求項１３のエネルギー管理方法。
【請求項１５】
前記モバイル装置（１０１，１１７）における高周波バンドパスフィルタ（１０９）により、前記アンテナ（１１８）から前記モバイル装置（１０１，１１７）の無線周波数回路（１０７）に又はその逆に、ＲＦ信号を送ることと、所定周波数より低いすべての信号を阻止すること、をさらに備える請求項１３又は１４のエネルギー管理方法。
【発明の詳細な説明】
【技術分野】
【０００１】
本発明は、モバイル（可搬又は携帯式）装置に取り外し可能に取り付けられるカバーに関する。さらに、本発明は、モバイル装置及びエネルギー管理方法に関する。
【背景技術】
【０００２】
本発明は、バッテリで電力供給される如何なるモバイルシステムにでも適用し得るが、主に、携帯電話（モバイルフォン）に関連して以下説明される。
【０００３】
近年の携帯電話は高能力プロセッサ（処理器）を含んでおり、各処理動作を行うために高い電力量を必要とする。しかし、モバイル装置において消費され得る電気エネルギー量は、バッテリによって制限される。その一方で、バッテリのサイズは、モバイル装置のサイズによって制限される。モバイル装置のサイズと重量には限度があることが理解されよう。よって、バッテリのサイズ及び該バッテリが提供し得る電力の量にも限度がある。
【０００４】
携帯電話のバッテリライフを延長するために、追加のバッテリを携帯電話に接続するために該携帯電話の電源コネクタを使用し且つ携帯電話の背面でバッテリを搬送する、バッテリカバーが提供されてきている。これらのカバーは、通常の充電器と同じコネクタに接続される。
【０００５】
モバイル装置の厚みが増すことは問題とならない。しかし、普通、電源コネクタは携帯電話の下端に位置している。したがって、このバッテリカバーは、電源コネクタを設けた側において携帯電話のサイズを増加させる。これは、例えば、ユーザがシャツのポケット内に入れて携帯電話を持ち運びし、そして、ポケットが追加のバッテリカバーを持つ携帯電話の増加したサイズには小さすぎるような場合、問題となる。
【０００６】
したがって、携帯電話等モバイル装置に追加の電源を提供するための方法の改善が望まれる。
【発明の概要】
【０００７】
本発明は、請求項１の特徴を持つカバーと、請求項７の特徴を持つモバイル装置と、請求項１３の特徴を持つ方法を提供する。
【０００８】
アンテナを備えたモバイル装置に取り外し可能に取り付けられるカバーは、供給電力を提供するように構成されたバッテリと、該バッテリを該モバイル装置の前記アンテナ（例えばアンテナ要素）に電気的に結合するように構成された電気接点要素と、該電気接点要素と前記バッテリとの間に結合され、該電気接点要素から前記バッテリへのＲＦ信号を阻止し、該バッテリと該電気接点要素との間の供給電力の伝送を可能にするように構成されたブロッキングフィルタとを備える。
【０００９】
モバイル装置は、ハウジングと、該ハウジング上に設けられたアンテナと、該アンテナを介してＲＦ信号を送受するように構成された無線周波数回路と、該アンテナを介して受信した直流電力が該無線周波数回路に入力されることを阻止し、該アンテナと当該モバイル装置のエネルギー消費要素との間での該直流電力の伝送を可能にするように構成されたフィルタとを備える。
【００１０】
モバイル装置のためのエネルギー管理方法は、該モバイル装置のアンテナを介して、取り外し可能なカバーのバッテリから該モバイル装置に供給電力を提供するステップと、該モバイル装置の前記アンテナにてローパスフィルタにより信号をフィルタするステップであって、該アンテナを介して受信した直流電力が無線周波数回路に入力されることを阻止し、かつ、該アンテナと前記モバイル装置のエネルギー消費要素との間の直流電力の伝送を可能にするようにフィルタする、及び／又は、前記カバーにおいて、前記バッテリへのＲＦ信号を阻止し、前記バッテリと前記アンテナとの間の供給電力の伝送を可能にするようにフィルタする前記ステップとを備える。
【００１１】
現代のモバイル装置は、データ伝送用のアンテナを備える。そのようなアンテナは、例えば、携帯電話ネットワークにおける通信のためのＧＳＭ(登録商標)、ＵＭＴＳ又はＬＴＥアンテナであり得る。さらに、そのようなアンテナは、例えば無線ＬＡＮアンテナ等であり得る。主にデザイン上の理由により、現代のモバイル装置におけるアンテナは、モバイル装置のハウジングから延び出る又は突き出るようにはなっていない。その代わりに、アンテナは内蔵アンテナとして提供されるか、若しくは、特にフレームが導電性金属フレームであれば、モバイル装置のフレーム又はケースの一部として提供される。アンテナがモバイル装置のフレーム又はケースの一部として提供される場合、該アンテナは該モバイル装置の外部からアクセス可能である。そのようなアンテナは、若干数の、例えば１又はそれ以上の、異なるアンテナ要素を提供することができ、それらアンテナ要素が一緒になってモバイル装置の１つのアンテナを形成する。該異なるアンテナ要素は、例えば、能動的な発信及び受信要素と接地要素とを含む。
【００１２】
公知のバッテリカバーとは対照的に、本発明は、これら外部とアクセス可能なアンテナ要素を使用して、該アンテナを介して如何なるデータも伝送しないように、しかし電力はモバイル装置に供給するようにしている。
【００１３】
前記カバー及びモバイル装置において、対応するフィルタが設けられ、供給電力をＲＦ信号（「ＲＦ」はRadio Frequency =「無線周波数」の略）から分離する。このＲＦ信号は、モバイル装置の無線周波数回路又は無線ステージによって提供されるか、若しくはアンテナを介して受信されるものである。本発明におけるＲＦ信号とは、例えばＧＳＭ(登録商標)、ＵＭＴＳ又はＬＴＥ若しくは無線ＬＡＮのような無線信号伝送に関係する全ての信号を包含する。前記ＲＦ信号とは対照的に、前記供給電力は、殆どの場合、ＤＣ電力（「ＤＣ」はDirect Current =「直流」の略）である。前記カバー及びモバイル装置において、各フィルタは、どんなＲＦ信号でも阻止し、ＤＣ電力のみを通過させるであろう。しかし、バッテリからモバイル装置への供給電力は交流電力であることも有り得る。その場合は、各フィルタは適切に適合化されるであろう。
【００１４】
したがって、本発明は、非常にコンパクトな追加のカバーにより、モバイル装置に追加電力を提供し得る。このカバーは、モバイル装置の電源コネクタに接続される必要がなく、よって該モバイル装置のハウジング表面を拡張することを要しないものである。
【００１５】
代わりに、本発明は、モバイル装置に追加電力を提供し、モバイル装置の長さと幅ではなく、厚みのみを拡張するだけのカバーを提供する。
【００１６】
本発明のさらなる実施例は、従属請求項の主題及び以下図面を参照して説明する詳細説明の主題である。
【００１７】
一実施例において、カバーは、該カバーをモバイル装置を固定するように構成された固定装置を備え得る。該固定装置は、モバイル装置の第１側面を介して前記カバーをモバイル装置を固定するように構成された第１固定要素と、モバイル装置の第２側面を介して前記カバーをモバイル装置を固定するように構成された第２固定要素とを少なくとも備えることができ、特に、前記第２側面は前記第１側面に対向する面である。そのような固定装置は、例えばモバイル装置に両側面から固定されるクランプ又はクリップであり得る。バッテリは、例えばモバイル装置の背面上に保持され得る。該クランプ又はクリップは非常に薄いプラスチック又は金属製の部品であり得る。よって、カバーは、非常にコンパクトな形状を持つ。
【００１８】
一実施例において、電気接点要素は、前記バッテリの正極出力に結合され、前記アンテナの第１アンテナ要素に該バッテリを電気的に結合するように構成された第１電気接点と、前記バッテリの負極出力に結合され、前記アンテナの第２アンテナ要素に該バッテリを電気的に結合するように構成された第２電気接点とを備え得る。該第１及び第２アンテナ要素は、例えばＲＦ信号を送受信する能動的なアンテナ要素であり得る。アンテナ要素のうち１つは、モバイル装置の電気的接地点に結合された接地要素であり得る。理解されるように、モバイル装置の２つのアンテナ要素は、短絡回路を防止するために電気的に分離されていなければならない。電気接点は、例えば単純な金属ストリップ又はリーフバネ等であり得る。
【００１９】
一実施例において、前記第１固定要素は前記第１電気接点を含み、前記第２固定要素は前記第２電気接点を含み得る。固定要素と電気接点が一体化して提供されるならば、該カバーのサイズはさらに縮小され得、そして、非常にコンパクトなカバーが提供され得る。
【００２０】
一実施例において、前記ブロッキングフィルタは、ＲＦ信号を阻止し、前記バッテリから前記アンテナに又はその逆に直流電力を通過するように構成されたローパスフィルタを含み得る。ローパスフィルタは簡単なフィルタであり、ＲＦ信号がバッテリに到達することを効果的に阻止し得る。
【００２１】
一実施例において、前記カバー及び／又はモバイル装置は、前記バッテリと前記ブロッキングフィルタとの間に電気的に配置されたバッテリ管理ユニットを備え、前記ブロッキングフィルタは、ＲＦ信号及び直流電力を阻止し、前記バッテリ管理ユニットへの又は該バッテリ管理ユニットからの低周波信号を通過するように構成された低周波バンドパスフィルタを含み得る。該バッテリ管理ユニットは、バッテリへの又はバッテリからの電力伝達を制御する充放電制御器を含み得る。そのような制御器は、例えば、バッテリの充電状態を管理し、バッテリから取り出される電力を制限する。該制御器は、また、バッテリの充電処理を制御し、例えば該バッテリの充電に提供される電流を制限する。モバイル装置は、前記カバーにおける前記バッテリ管理ユニットと同様の機能性を、装置のバッテリに対して提供するデバイスバッテリ管理ユニットを含むであろう。したがって、このデバイスバッテリ管理ユニットは、モバイル装置における電力消費とバッテリ充電を制御する。両バッテリ管理ユニットは、低周波信号を使用して通信し得る。そのような信号は、例えばＩ2Ｃ、ＳＰＩ又はＵＡＲＴ又はその他の低データレート及び低周波データ信号であってよい。低周波バンドパスフィルタが、該バッテリ管理ユニットへの又は該バッテリ管理ユニットからの各低周波データ信号を通過するのに適していることが明白である。低周波バンドパスフィルタは、直流電力及びＲＦ信号と２つのバッテリ管理ユニットで通信するのに使用される低周波信号との明確な分離を提供するであろう。単なる一例として、該低周波信号は、例えば約１０ｋＨｚあたりの周波数帯を含み得る。
【００２２】
一実施例において、該デバイスバッテリ管理ユニットは、前記ブロッキングフィルタと当該モバイル装置の前記エネルギー消費要素及びエネルギー源との間に電気的に配置され、前記フィルタは、ＲＦ信号及び直流電力を阻止し、該デバイスバッテリ管理ユニットへの又は該デバイスバッテリ管理ユニットからの低周波信号を通過するように構成された低周波バンドパスフィルタを含む。そこで、該デバイスバッテリ管理ユニットは、前記ローパスフィルタにより、モバイル装置のアンテナを介して、電力を送受し得る。同時に、該デバイスバッテリ管理ユニットは、また、例えば外部の前記カバーにバッテリをロードするために、前記アンテナに電力を提供し得る。同時に、該デバイスバッテリ管理ユニットは、前記低周波バンドパスフィルタを介して前記カバーにおける制御器と通信し得る。
【００２３】
一実施例において、前記デバイスバッテリ管理ユニットは、当該モバイル装置のバッテリ及び本発明に従う前記カバーのバッテリを管理するように構成され得る。該デバイスバッテリ管理ユニットが２つのバッテリを管理し得る場合は、本発明に従ってモバイル装置とカバー間の専用の低周波通信手段を設けることは不要である。バッテリ充電用の電力は、例えば装置の標準の電源コネクタを介して該モバイル装置に提供され得る。
【００２４】
一実施例において、前記ブロッキングフィルタは、所定周波数より低いすべての信号を阻止し、前記アンテナから当該モバイル装置の無線ステージに又はその逆にＲＦ信号を通過するように構成された高周波バンドパスフィルタを含み得る。該高周波バンドパスフィルタは、モバイル装置における第３のフィルタであり、該モバイル装置の無線データ通信を、前記両バッテリ管理ユニットの低周波データ通信及び前記直流電力から分離するために使用される。前記所定周波数は、必要に応じて、該モバイル装置の無線ステージの動作周波数に適合されるであろう。
【００２５】
本発明とその利点のより完全な理解のために、添付図面に関連してなされる以下の説明を参照する。本発明は、添付図面によって特定される例示としての実施例を使用して、以下、詳細に説明される。図において、特に別論のない限り、同様の参照符号は同様の要素を示す。
【図面の簡単な説明】
【００２６】
【図１】本発明に従うモバイル装置の一実施例を示す概略図。
【図２】本発明に従うカバーを備えた本発明に従うモバイル装置の別の実施例を示す概略図。
【図３】本発明に従うカバーを備えた本発明に従うモバイル装置の一実施例を示す概略図。
【図４】本発明に従うカバーを備えた本発明に従うモバイル装置の一実施例を示す概略図。
【図５】本発明に従うカバーの一実施例を示す概略図。
【図６】本発明に従うカバーの一実施例を示す概略図。
【図７】本発明に従うカバーの一実施例を示す概略図。
【図８】本発明に従うモバイル装置の一実施例を示す概略ブロック図。
【図９】本発明に係る方法の一実施例のフロー図。
【発明を実施するための形態】
【００２７】
図１は、モバイル装置１０１を示す概略図である。このモバイル装置１０１は、フレーム（外枠）によって囲まれた、実質的に矩形の表面を持つ。該フレームは複数のフレーム要素１０２、１０３、１０４を含む。このモバイル装置１０１の場合、該フレームは金属製フレームであり、フレーム要素１０２、１０３、１０４は、導電性素材であって、互いに電気的に孤立している。
【００２８】
フレーム要素１０３は、さらにアンテナ要素１０５を含む。別のアンテナ要素１０６が、該モバイル装置１０１の反対側の側部に設けられる。図１において、アンテナ要素１０５、１０６は、フレーム要素１０３の一部分をカバーしているだけである。しかし、別の例においては、１つのフレーム要素１０３の全体が１つのアンテナ要素１０５であってもよいことが理解されよう。もう１つのアンテナ要素１０６についても同様である。他のフレーム要素１０２、１０４は、さらに別のアンテナ要素（明示的には図示しない）を含んでいてもよく、若しくは、例えば接地接続であってもよい。
【００２９】
アンテナ要素１０５、１０６がプラスチック枠（不図示）でカバーされている場合、該プラスチック枠は例えば該アンテナ要素１０５、１０６に接触するための開口を有する。
【００３０】
金属フレーム要素１０２、１０３、１０４を備えるモバイル装置１０１は、特に本発明に従うカバー２０１と共に使用されるのに適する。しかし、アクセス可能なアンテナ接点を持つ如何なるタイプのモバイル装置１０１であっても、本発明に従うカバー２０１と共に使用され得る。
【００３１】
図２は、本発明に従うカバー２０１を備えたモバイル装置１０１の別の実施例を示す概略図である。該カバー２０１は、２つの固定要素２０２、２０３でモバイル装置１０１に固定される。矢印はカバー２０１がモバイル装置１０１に固定される方向を示す、すなわち背後から固定される。み、
【００３２】
固定要素２０２、２０３は、バッテリ２０４（図３）を含むカバー２０１の主要部がモバイル装置１０１の背面に位置するように、モバイル装置１０１に該カバー２０１を左右に挟み込む。
【００３３】
モバイル装置１０１は、フレームの下部外周側に、すなわちフレーム要素１０４に、コネクタ１１６を備える。このコネクタ１１６は、例えば充電器（不図示）又はドック部（不図示）等にモバイル装置１０１を接続するために使用され得る。
【００３４】
本発明は、このコネクタ１１６を遮ることなく、モバイル装置１０１に追加のバッテリ２０４を提供できるようにすることが明らかになる。そこで、モバイル装置１０１の該コネクタ１１６は、カバー２０１がモバイル装置１０１に取り付けられているときにも、使用し得る。
【００３５】
さらに、該コネクタ１１６がモバイル装置１０１のバッテリ１１５を充電するために使用されるとき、同時に、モバイル装置１０１はカバー２０１のバッテリ２０４を充電し得る。このことは、図６及び図８に関連してさらに詳しく説明されるであろう。
【００３６】
図３は、カバー２０１を備えたモバイル装置１０１を側面図で示す。固定要素２０２はモバイル装置１０１の左右側面の部分のみをカバーする。モバイル装置１０１の左右側面の上端と下端はカバーされない。
【００３７】
さらに、バッテリ２０４は、カバー２０１の裏面側に配置される、すなわち、モバイル装置１０１の背面に取り付けられる。
【００３８】
図３は、本発明のカバー２０１がモバイル装置１０１の下端（つまり、コネクタ１１６が位置している下端）をカバーする必要がない、ということを示している。そこで、該カバー２０１は、モバイル装置１０１の厚みは増すが、該モバイル装置１０１を拡張することはない。
【００３９】
図４は、カバー２０１を備えたモバイル装置１０１の正面図を示す。正面から見たとき、カバー２０１の固定要素２０２、２０３のみがモバイル装置１０１の両側面にて突出する。
【００４０】
図５はカバー２０１を概略的に示す。カバー２０１は、本質的に平板形であり、すなわち、平板状の背面板２１２を有する。クリップ２０２、２０３の形態からなる２つの固定要素２０２、２０３は、背面板２１２の左右端から直角に延びている。
【００４１】
各クリップ２０２、２０３には電気接点２０５、２０６が設けられる。両電気接点２０５、２０６は互いに向き合い、モバイル装置１０１に取り付けられたとき該モバイル装置１０１の側面に向かされる。該電気接点２０５、２０６は金属ストリップ（帯）として提供される。理解されるように、多かれ少なかれクリップ２０２の中央付近にある該電気接点２０５、２０６の位置は単なる一例である。本質的に、特定のアプリケーションによる必要に応じて、電気接点２０５、２０６はクリップ２０２、２０３上の任意の位置に配置され得る。
【００４２】
両電気接点２０５、２０６はブロッキングフィルタ２０７に結合される。該ブロッキングフィルタ２０７は、前記アンテナ要素１０５、１０６から該カバーに伝送されるかもしれない任意のＲＦ周波数信号をフィルタする。そのような信号は、例えば、アンテナ要素１０５、１０６によって捕捉される任意の信号、又はモバイル装置１０１の無線周波数回路１０７（図８を見よ）によって発生される信号、であり得る。
【００４３】
一方、ブロッキングフィルタ２０７は、直流電力がバッテリ２０４から電気接点２０５、２０６に伝送され得るようにする。そこで、ブロッキングフィルタ２０７は、アンテナ要素１０５、１０６が二重の用途で使用され得るようにする。該アンテナ要素１０５、１０６は、信号伝送のために使用され得る一方で、例えばモバイル装置１０１に供給される直流電力を導通するために使用され得る。
【００４４】
明らかなように、ブロッキングフィルタ２０７は、電力の双方向の流れを許可し得るものである。よって、バッテリ２０４は、モバイル装置１０１に電力を供給するだけのものではない。加えて、該カバー２０１がモバイル装置１０１に取り付けられているとき、該バッテリ２０４はモバイル装置１０１から充電され得る。
【００４５】
すでに述べたように、カバー２０１はモバイル装置１０１の電力コネクタ１１６をカバーしない。よって、モバイル装置１０１は電力コネクタ１１６を介して充電され得、同時にバッテリ２０４を充電する。
【００４６】
図６は、カバー２２０の別の実施例を概略的に示す図である。該カバー２２０は、前記カバー２０１を基礎としており、さらに、ブロッキングフィルタ２０７とバッテリ２０４との間に設けられたバッテリ管理ユニット２１０を備える。
【００４７】
バッテリ管理ユニット２１０は、エネルギーの取り出しとバッテリ２０４の充電を制御し管理する要素である。該バッテリ管理ユニット２１０は、例えばバッテリ２０４から取り出される電流を制限し、又はバッテリ２０４に供給される電流を制限すること等が可能である。
【００４８】
ブロッキングフィルタ２０７に加えて、ローパスフィルタ２０８と低周波バンドパスフィルタ２０９を含む。すでに述べたように、ローパスフィルタ２０８は、ＲＦ信号又はデータ信号を阻止し、直流電力のみをバッテリ２０４に又はバッテリ２０４から通すように働く。
【００４９】
これに対して、低周波バンドパスフィルタ２０９は、モバイル装置１０１がバッテリ管理ユニット２１０との間で送受する低周波信号、例えばＩ2Ｃデータ信号、のみを通過するように働く。例えば、そのような信号はモバイル装置１０１とバッテリ管理ユニット２１０との間で送受されることができ、もって、前記充電又はモバイル装置１０１とカバー２２０との間での電力伝送を共通に制御する。
【００５０】
よって、図６の構成は、モバイル装置１０１とカバー２２０との間の電力及びデータ伝送を提供する。
【００５１】
図７は、カバー２３０の別の実施例を概略的に示す図である。該カバー２３０は、前記カバー２０１を基礎としており、電気接点２０５、２０６を提供する代りに、２つの電極２１３、２１４を持つ電気接点２１１を提供する。
【００５２】
該カバー２３０は、例えば、フレームにアンテナ要素を設けていないタイプのモバイル装置と共に使用され得る。その代りに、そのようなモバイル装置は、例えば、その背面カバー上に、前記電気接点２１１によって接触され得る接点要素を提供することができる。
【００５３】
理解されるように、上述した各カバー２０１、２２０、２３０の個々の特徴は、アプリケーション上の必要に応じて、互いに組み合わせたり、入れ替えたりすることができる。
【００５４】
図８は、モバイル装置１１７の一実施例のブロック図を概略的に示す。
【００５５】
モバイル装置１１７は無線周波数回路１０７を備えており、該無線周波数回路１０７は、該モバイル装置１１７の通信能力を提供し、かつ、例えば、ＧＳＭ(登録商標)、ＵＭＴＳ、ＬＴＥ、無線ＬＡＮ、Ｂｌｕｅｔｏｏｔｈ(登録商標)その他を介してデータ通信をサポートし得るものである。さらに、モバイル装置１１７はデバイスバッテリ管理ユニット１１２を備える。該デバイスバッテリ管理ユニット１１２は、電力の流れとバッテリ１１５のエネルギーレベルを制御する電力制御器１１３を備える。加えて、通信制御器１１４は、デバイスバッテリ管理ユニット１１２が、Ｉ2Ｃ、ＳＰＩ又はＵＡＲＴ又はその他適宜のデータ伝送システムを介して、例えばカバー２０１、２２０、２３０側のバッテリ管理ユニット２１０と通信することを可能にする。
【００５６】
モバイル装置１１７は、また、フィルタ１０８を備える。該フィルタ１０８は、上述した要素の各々について、調整されたフィルタ要素１０９、１１０、１１１を備える。
【００５７】
フィルタ要素１０９は高周波バンドパスフィルタ１０９であり、該高周波バンドパスフィルタ１０９は、アンテナ１１８から無線周波数回路１０７に又はその反対に、各通信に必要とされる信号を送るように構成される。フィルタ要素１１０はローパスフィルタ１１０であり、該ローパスフィルタ１１０は、アンテナ１１８から電力制御器１１３に又はその反対に、直流電力が通過し得るようにする。最後に、フィルタ要素１１１は低周波バンドパスフィルタ１１１であり、該低周波バンドパスフィルタ１１１は、アンテナ１１８から通信制御器１１４に又はその反対に、低周波通信の通信データが通過し得るようにする。
【００５８】
上記では明示的に述べていないが、個々のフィルタ１０８、２０７及びフィルタ要素１０９〜１１１、２０８、２０９は、それぞれのフィルタ特性を提供するのに必要な、例えばインダクタ（誘導要素）、キャパシタ（容量要素）、抵抗、演算増幅器のような電気的要素、あるいはデジタルフィルタ要素を含み得る。
【００５９】
図９は、モバイル装置１０１，１１７のためのエネルギー管理方法の一実施例のフロー図を示す。
【００６０】
この方法は、モバイル装置１０１，１１７のアンテナ１１８を介して、取り外し可能なカバー２０１，２２０，２３０のバッテリ２０４から該モバイル装置１０１，１１７に供給電力を提供すること（Ｓ１）を含む。
【００６１】
さらに、任意の望ましくない信号が該供給電力からフィルタされるべきである。そこで、この方法は、モバイル装置１０１，１１７のアンテナ１１８にてローパスフィルタ１１０，２０８により信号をフィルタすること（Ｓ２）を含み、アンテナ１１８を介して受信した直流電力が無線周波数回路１０７に入力されることを阻止するようにフィルタする。加えて又は代替的に、この方法は、アンテナ１１８とモバイル装置１０１，１１７のエネルギー消費要素との間の直流電力の伝送を可能にするようにフィルタすることを含む。該フィルタすること（Ｓ２）は、前記カバー２０１，２２０，２３０においても実行され得る。
【００６２】
さらに、カバー２０１，２２０，２３０とモバイル装置１０１，１１７との間の低周波伝達が、モバイル装置１０１，１１７及び／又はカバー２０１，２２０，２３０における低周波バンドパスフィルタ１１１，２０９によるＲＦ信号及び直流電力の阻止を可能にすることが行われ得る。さらに、低周波信号がモバイル装置１０１，１１７とカバー２０１，２２０，２３０との間を通過され得る。
【００６３】
最後に、モバイル装置１０１，１１７における高周波バンドパスフィルタ１０９が、アンテナ１１８からモバイル装置１０１，１１７の無線周波数回路１０７に又はその逆に、ＲＦ信号を送り、かつ、所定周波数より低いすべての信号を阻止し得る。
【００６４】
ここでは特定の実施例が図示され説明されてきたが、当業者にとっては、種々の変形及び／又は等価的な装備が存在することが理解され得るであろう。なお、例示的に上述した各実施例は単なる一例であり、権利範囲、応用性、又は構成を、如何なる意味においても限定することを意図するものではない。むしろ、上述した発明の概要及び詳細な説明は、少なくとも１つの例示的実施例を実施するための簡便な道路マップを、当業者に提供するものであり、添付の特許請求の範囲で述べた及びそれらの法的等価物から逸脱することなく、例示的実施例で述べた各要素の機能及び構成配列において様々な変形を施し得ることが理解されるであろう。
【００６５】
本発明は、アンテナを備えたモバイル装置（１０１，１１７）に取り外し可能に取り付けられるカバー（２０１）であって、供給電力を提供するように構成されたバッテリ（２０４）と、前記バッテリ（２０４）を前記モバイル装置（１０１，１１７）の前記アンテナに電気的に結合するように構成された電気接点要素（２０５，２０６，２１１）と、前記電気接点要素（２０５，２０６，２１１）と前記バッテリ（２０４）との間に結合され、前記電気接点要素（２０５，２０６，２１１）から前記バッテリ（２０４）へのＲＦ信号を阻止し、前記バッテリ（２０４）と前記電気接点要素（２０５，２０６，２１１）との間の供給電力の伝送を可能にするように構成されたブロッキングフィルタ（２０７）とを備える。さらに、本発明は、対応するモバイル装置（１０１，１１７）及び対応する方法を提供する。
【符号の説明】
【００６６】
１０１、１１７  モバイル装置
１０２、１０３、１０４  フレーム要素
１０５、１０６  アンテナ要素
１０７  無線周波数回路
１０８  フィルタ
１０９  高周波バンドパスフィルタ
１１０  ローパスフィルタ
１１１  低周波バンドパスフィルタ
１１２  デバイスバッテリ管理ユニット
１１３  電力制御器
１１４  通信制御器
１１５  バッテリ
１１６  コネクタ
１１８  アンテナ
２０１、２２０、２３０  カバー
２０２、２０３  固定要素
２０４  バッテリ
２０５、２０６、２１１  電気接点
２０７  ブロッキングフィルタ
２０８  ローパスフィルタ
２０９  低周波バンドパスフィルタ
２１０  バッテリ管理ユニット
２１２  背面板
２１３、２１４  電極
【図１】
2019516335.tif 000003
【図２】
2019516335.tif 000004
【図３】
2019516335.tif 000005
【図４】
2019516335.tif 000006
【図５】
2019516335.tif 000007
【図６】
2019516335.tif 000008
【図７】
2019516335.tif 000009
【図８】
2019516335.tif 000010
【図９】
2019516335.tif 000011
【国際調査報告】
2019516335.tif 000012
2019516335.tif 000013
2019516335.tif 000014